(57)【要約】【課題】  長手方向中央に設けたミシン目の延長線状に中央上下両端に開口する切り込みを形成したシート状海苔でおむすびを巻くことにより当該海苔巻おむすびを中央で簡単且つ正確に２分割できるようにした海苔巻おむすび用海苔を提供することを目的とする。【解決手段】  長方形状のシート状海苔１の長手方向に沿ってその中央上下両端に切り込み２、２を互いに反対方向に開口するように形成すると共に、両切り込み２、２の内側延長線状にミシン目３を連設し、この切り込み２、２とミシン目３とによってシート状海苔１の長手方向中央全部に直線状の切り離し機構４を設けたものである。【選択図】          図１
0003103591.tif 000002
【実用新案登録請求の範囲】
【請求項１】
長方形状のシート状海苔の長手方向に沿ってその中央上下両端に切り込みを互いに反対方向に開口するように形成すると共に、両切り込みの内側延長線状にミシン目を連設し、この切り込みとミシン目とによってシート状海苔の長手方向中央全部に直線状の切り離し機構を設けたことを特徴とする海苔巻おむすび用海苔。
【考案の詳細な説明】
【技術分野】
【０００１】
本考案は、おむすび外周に巻く海苔巻おむすび用として用いるのに好適な海苔に関する。
【背景技術】
【０００２】
従来、御飯を三角形等に手や自動握り機で成形したおむすびの外周全体を一枚の長方形状のシート状海苔で巻いた海苔巻おむすびは広く知られている。
【０００３】
而して、長方形状のシート状海苔の長手方向に沿ってその中央にミシン目を連設し、このシート状海苔でおむすびを巻き付けることによって表裏両側の中央部にシート状海苔のミシン目が連続して形成された海苔巻おむすびも公知である。
【０００４】
このように海苔巻おむすびの中央部にミシン目が形成されることで当該海苔巻おむすびを中央で簡単且つ正確に２分割して食べることができるメリットを有する。
【特許文献１】実公平６−３１９１５号
【考案の開示】
【考案が解決しようとする課題】
【０００５】
しかしながら、従来のシート状海苔に形成したミシン目は、所謂周知の点線状の小穴の連続に過ぎないため、おむすびにシート状海苔を巻いたとき、御飯の有する粘着性によってシート状海苔全体がおむすび外周に付着すると共に、シート状海苔が湿気を帯びてしまい、海苔巻おむすびをそのミシン目に沿って簡単且つ正確に２分割し難いという問題がある。
【０００６】
本考案は、以上の問題点を解消するもので、長手方向中央に設けたミシン目の延長線状に中央上下両端に開口する切り込みを形成したシート状海苔でおむすびを巻くことにより当該海苔巻おむすびを中央で簡単且つ正確に２分割できるようにした海苔巻おむすび用海苔を提供することを目的とする。
【課題を解決するための手段】
【０００７】
上記目的を達成するため、本考案に係る海苔巻おむすび用海苔は、長方形状のシート状海苔の長手方向に沿ってその中央上下両端に切り込みを互いに反対方向に開口するように形成すると共に、両切り込みの内側延長線状にミシン目を連設し、この切り込みとミシン目とによってシート状海苔の長手方向中央全部に直線状の切り離し機構を設けたことを特徴とする。
【考案の効果】
【０００８】
本考案は、以上のとおり構成されるものであるから、シート状海苔をおむすびに巻き付け海苔巻おむすびを成形したとき、シート状海苔の長手方向における中央上下両端に設けられた切り込み部分を三角形状のおむすび角部へ米飯に対して一部または全部を非接触状態で配することができるため、当該切り込みの延長線状に設けられたミシン目と相俟って巻き付け完了後の海苔巻おむすびの２分割がきわめて容易である。
【０００９】
そして、このとき、海苔巻おむすびを正確に２分割ができるのは勿論、切断面が比較的滑らかである上に、米飯粒がポロポロとこぼれ落ちることが少なく、食べ易いものである。
【考案を実施するための最良の形態】
【００１０】
以下、本考案を実施するための最良の形態について図面を参照して詳細に説明する。
図１は、本考案に係る海苔巻おむすび用海苔を示す正面図であり、図２ないし図５は、おむすびに対するシート状海苔の巻き付け工程を示す説明図であり、図６は、海苔巻おむすびを２分割した状態を示す斜視図であり、図７は、海苔巻おむすび用海苔の包装体を示す分解斜視図、図８は、おむすびを包装体で包装した状態を示す斜視図であり、図９は、包装体を開封して取り出した海苔巻おむすびを示す正面図であり、図１０は、同上の斜視図であり、図１１は、他の実施形態の海苔巻おむすび用海苔を示す正面図である。
【００１１】
本考案に係る海苔巻おむすび用海苔Ａは、図１に示したように、長方形状のシート状海苔１の長手方向に沿ってその中央上下両端に切り込み２、２を互いに反対方向に開口するように形成すると共に、両切り込み２、２の内側延長線状ににミシン目３…を連設し、この切り込み２、２とミシン目３…とによってシート状海苔１の長手方向中央全部に直線状の切り離し機構４を設けて成るものである。
【００１２】
長方形状のシート状海苔１は、長さが約１８０ｍｍ、幅が約１００ｍｍに形成されている。この場合、上下の切り込み２、２の長さはそれぞれ約１５ｍｍ、ミシン目３…の長さはそれぞれ約５ｍｍ程度とする。
【００１３】
このように切り離し機構４が長手方向中央全部に形成された長方形状のシート状海苔１を使った海苔巻おむすびＢの成形工程を次に説明する。
先ず、シート状海苔１の上面中央やや上方に三角形状のおむすび５を、その中央と切り離し機構４とがほぼ合致するようにして載置する（図２）。
【００１４】
次いで、シート状海苔１の下側をおむすび５に沿ってその上面まで密着状態に折り込む（図３）。
【００１５】
次いで、おにぎり５の上面まで折り畳んだシート状海苔１の下部両側を、おにぎり５の両側に沿って斜めに折り込み、シート状海苔１の両角部を下側に位置するシート状海苔１上面へ重合させる（図４）。
【００１６】
最後に、シート状海苔１の上部両側を、おにぎり５の両側に沿って斜めに折り込み、シート状海苔１の上面へ重合させる（図５）。
【００１７】
このようにしてシート状海苔１をおにぎり５に巻き付けることによって中央全周に亘って切り離し機構４が形成された海苔巻おむすびＢが成形されるが、このとき、シート状海苔１の上下両端の切り込み２、２部分がおむすび５の上角部５ａへ米飯に対して一部または全部を非接触状態で配することができるため、海苔巻おむすびＢの切り離し機構４に沿っての分割がきわめて容易となる（図６）。
【００１８】
而して、以上のシート状海苔１は、おむすび５に直接巻き付けて所謂直巻きと称される海苔巻おむすびＢを成形し、これを図６に示すようにＢ１、Ｂ２に２分割して食べることもできるが、図７および図８に示す包装体Ｃにシート状海苔１を収納しておき、食べるときに当該包装体Ｃを開封して取り出したシート状海苔１でおむすび５を巻くことができる。
【００１９】
すなわち、この包装体Ｃは、略長方形状の外装フィルム１１とその内面のほぼ中央において重合配置された２枚一対の同形状の隔離フィルム１２、１２とを備え、上記外装フィルム１１のほぼ中央で隔離フィルム１２、１２の重合端縁に沿った位置にカットテープ１３を付設すると共に、当該外装フィルム１１に対して隔離フィルム１２、１２の外縁をシールし、外装フィルム１１と隔離フィルム１２、１２との間に既述シート状海苔１の収納袋部を形成したものである。
【００２０】
そして、このシート状海苔１の収納袋部における収納状態においては、シート状海苔１の長手方向中央部に形成された切り離し機構４と外装フィルム１１のカットテープ１３および隔離フィルム１２、１２の重合端縁とはほぼ合致する。
【００２１】
したがって、このようにして形成される包装体Ｃでおむすび５を図８に示したように包装した場合でも、シート状海苔１の切り離し機構４と外装フィルム１１のカットテープ１３および隔離フィルム１２、１２の重合端縁とは合致しているため、カットテープ１３を摘んで引っ張り外装フィルム１１の長手方向中央を破断した後、外装フィルム１１と隔離フィルム１２、１２の両端シール部を両側へ引き抜いてシート状海苔１を露出させると、当該シート状海苔１でおむすび５を図３に示した略半分に折り込んだ状態で包装体Ｃから取り出すことができる。
【００２２】
その後、図４および図５に示したようにシート状海苔１を巻くことによって図９および図１０に示したような海苔巻おむすびＢを成形することができる。このようにして成形された海苔巻おむすびＢも中央部の縦方向に切り離し機構４が形成され、このときの切り込み２、２およびミシン目３…の配置状態も既述したものと同様である。
【００２３】
ところで、図１に示したシート状海苔１はミシン目３…の長さが点線状の小穴の連続によって形成しているのに対して、図１１に示したシート状海苔１はミシン目３…の長さを大き目に形成してある。これによって切り離し機構４における切り離し能力を向上させることができるのである。
【図面の簡単な説明】
【００２４】
【図１】本考案に係る海苔巻おむすび用海苔を示す正面図である。
【図２】おむすびに対するシート状海苔の巻き付け工程を示す説明図である。
【図３】おむすびに対するシート状海苔の巻き付け工程を示す説明図である。
【図４】おむすびに対するシート状海苔の巻き付け工程を示す説明図である。
【図５】おむすびに対するシート状海苔の巻き付け工程を示す説明図である。
【図６】海苔巻おむすびを２分割した状態を示す斜視図である。
【図７】海苔巻おむすび用海苔の包装体を示す分解斜視図である。
【図８】おむすびを包装体で包装した状態を示す斜視図である。
【図９】包装体を開封して取り出した海苔巻おむすびを示す正面図である。
【図１０】同上の斜視図である。
【図１１】他の実施形態の海苔巻おむすび用海苔を示す正面図である。
【符号の説明】
【００２５】
Ａ  海苔巻おむすび用海苔
Ｂ  海苔巻おむすび
Ｃ  包装体
１  シート状海苔
２  切り込み
３  ミシン目
４  切り離し機構
【図１】
0003103591.tif 000003
【図２】
0003103591.tif 000004
【図３】
0003103591.tif 000005
【図４】
0003103591.tif 000006
【図５】
0003103591.tif 000007
【図６】
0003103591.tif 000008
【図７】
0003103591.tif 000009
【図８】
0003103591.tif 000010
【図９】
0003103591.tif 000011
【図１０】
0003103591.tif 000012
【図１１】
0003103591.tif 000013